(57)【要約】      （修正有）【課題】受信されたテレビジョン信号、記録媒体から再生された再生信号等について、その内容の視聴制限をタイムリーに行ない、しかも視聴制限の変更を容易に行なえるようにする。【解決手段】映像信号と該映像信号に対応する内容表示信号から成る信号を視聴制限する視聴制限装置１において、予め視聴制限のためのキーワードを設定し、設定されたキーワードと前記内容表示信号とを比較して視聴制限の開始時点Ｔ１を判別し、第１の判別回路３２による判別の後にシーンの変化を検出して視聴制限の終了時点Ｔ２を判別し、前記信号を記録すると共に開始時点Ｔ１と終了時点Ｔ２の情報を記録し、その後に前記信号の再生と共に開始時点Ｔ１と終了時点Ｔ２の情報を再生し、開始時点Ｔ１と終了時点Ｔ２の区間のみを視聴することと該区間を視聴しないこととを選択的に設定し視聴選択回路６３の選択に基づいて前記区間を視聴制限の対象として出力を制御する。【選択図】図１
2006254257.tif 000002
【特許請求の範囲】
【請求項１】
映像信号と該映像信号に対応する内容表示信号から成る信号を視聴制限する視聴制限装置において、
予め視聴制限のためのキーワードを設定するキーワード設定手段と、
前記キーワード設定手段によって設定されたキーワードと前記内容表示信号とを比較して一致するか否かにより前記視聴制限の開始時点を判別する第1の判別手段と、
前記第1の判別手段による判別の後にシーンの変化を検出して前記視聴制限の終了時点を判別する第2の判別手段と、
前記信号を記録すると共に前記視聴制限の開始時点と終了時点の情報を記録し、その後に前記信号の再生と共に前記開始時点と終了時点の情報を再生する記録再生手段と、
前記視聴制限の開始時点と終了時点の区間のみを視聴することと該区間を視聴しないこととを選択的に設定する視聴選択手段と
前記視聴選択手段の選択に基づいて前記区間を視聴制限の対象として出力を制御する制御手段とを有することを特徴とする視聴制限装置。
【請求項２】
映像信号と該映像信号に対応する内容表示信号から成る信号を視聴制限する視聴制限装置において、
予め視聴制限のためのキーワードを設定するキーワード設定手段と、
前記キーワード設定手段によって設定されたキーワードと前記内容表示信号とを比較して一致するか否かにより前記視聴制限の開始時点を判別する第1の判別手段と、
前記第1の判別手段による判別の後にシーンの変化を検出して前記視聴制限の終了時点を判別する第2の判別手段と、
前記視聴制限の開始時点と終了時点の間を視聴制限の対象として出力を制御する制御手段とを有することを特徴とする視聴制限装置。
【請求項３】
映像信号と該映像信号に対応する内容表示信号から成る信号を視聴制限する視聴制限装置において、
予め視聴制限のためのキーワードを設定するキーワード設定手段と、
前記キーワード設定手段によって設定されたキーワードと前記内容表示信号とを比較して一致するか否かにより前記視聴制限の開始時点を判別する第1の判別手段と、
前記第1の判別手段による判別の後にシーンの変化を検出して前記視聴制限の終了時点を判別する第2の判別手段と、
前記視聴制限の開始時点と終了時点の区間のみを視聴することと該区間を視聴しないこととを選択的に設定する視聴選択手段と
前記視聴選択手段の選択に基づいて前記区間を視聴制限の対象として出力を制御する制御手段とを有することを特徴とする視聴制限装置。
【発明の詳細な説明】
【技術分野】
【０００１】
本発明は、映像信号と該映像信号に対応する内容表示信号から成る信号を視聴制限する視聴制限装置に関する。
【背景技術】
【０００２】
映像信号と該映像信号に対応する内容表示信号から成るテレビジョン信号が受信される際に、その画像が、例えば暴力シーンのような場合には、子供に視聴させることがふさわしくない。そこで、このようなシーンの視聴を制限することが考えられていた。
【０００３】
このような従来技術としては、例えば下記の特許文献１で示すものが開示されている。これは受信されたテレビジョン信号を一旦、ＤＶＤに記録し、これをモニターして制限を加えるものである。具体的には、ＤＶＤに記録されたコンテンツを再生し、任意のシーンの開始部分で先頭時刻設定操作を行い、終了部分で末尾時刻設定操作を行う。この開始部分の時刻と終了部分の時刻は記憶され、ＤＶＤを再生する際にテレビジョン受像機の画面にはモザイクがかけられる等のマスク処理がおこなわれる。
【０００４】
また、他の従来技術としては、下記の特許文献２に示すものが提案されている。これは、光ディスクを用いたＤＶＤにおいて、コンテンツの記録時にコンテンツの特定領域に視聴制限情報を設定してコンテンツの無分別な再生を防止するものである。具体的には、ユーザは録画しようとするコンテンツをディスプレイ上に表示して録画したいコンテンツを選択して録画する。ユーザはこの録画中または録画後に不適切な内容が録画された区間を確認する。この区間に対して視聴制限を置くために、視聴制限区間の開始位置及び終了位置を設定してこの情報を光ディスクの特定ストリーム内の予備領域に記録する。記録された光ディスクを再生すると、コンテンツの再生時に視聴制限区間に相当する部分が視聴制限情報によって再生が除外される。
【０００５】
また、他の従来技術として下記の特許文献３に示すものが提案されている。これは、放送番組を記録再生装置で記録した場合、再生することが好ましくない領域を自動的に飛ばして再生する視聴制限機能を有するものである。この方法は、例えばスキップすべきプログラムのシーンに対し、対応させて記録媒体上に視聴制限情報を記録することによって達成している。
【０００６】
また、音声コンテンツを利用した従来技術として、下記の特許文献４に示すものが提案されている。これは、コンテンツの内容から抽出されたコンテンツ管理用キーワードの音声信号を入力し、音声信号をデータ化する入力手段と入力手段でデータ化された音声信号データから、キーワードを認識する音声認識手段と、音声認識手段から出力されたキーワードを、コンテンツに含まれる画像信号との時間位置を示すタイムコードと共にメタデータファイルに記憶するファイル手段とを備えたものである。
【特許文献１】特開２００４−２７４１８８号公報（段落〔０００３〕、段落〔００２３〕〜段落〔００２８〕）
【特許文献２】特開２００３−２４２７１６号公報（段落〔０００４〕）、段落〔００４９〕〜段落〔００５６〕、図６）
【特許文献３】特開２００１−３５７６１１号公報（段落〔０００１１〕）、段落〔００２５〕、段落〔００３６〕、段落〔００６９〕、段落〔００７０〕）
【特許文献４】特開２００４−１５３７６４号公報（段落〔０００７〕）
【発明の開示】
【発明が解決しようとする課題】
【０００７】
しかしながら、上記特許文献１〜４で示す従来技術においては、受信されたテレビジョン信号を一旦、記録媒体に記録し、これを再生してモニターし、その内容で視聴を制限すべき範囲を決定している。また、既に記録媒体に記録された記録内容を制限する場合においても一旦、再生してモニターしている。そのため、その都度、画面をモニターする手間を必要とする。従って、タイムリーに視聴を制限することができないという問題点があった。これは、最近の多数のチャンネルでもって放送されるテレビジョン信号を受信し、また多数の記録媒体から再生して視聴することが可能な状況において、多量のソースから視聴する番組やプログラムを選択して視聴する際に、視聴の制限がタイムリーにできないことは極めて不便である。
【０００８】
そこで、本発明は受信されたテレビジョン信号、記録媒体から再生された再生信号などのように連続的に入来する信号について,その内容の視聴制限をタイムリーに行ない、しかも視聴制限の変更を容易に行なえるようにして従来の問題点を一掃した新規な視聴制限装置を提供することを課題とした。
【課題を解決するための手段】
【０００９】
前記課題を解決するために、本願の請求項１に係る発明は、映像信号と該映像信号に対応する内容表示信号から成る信号を視聴制限する視聴制限装置において、
予め視聴制限のためのキーワードを設定するキーワード設定手段（例えば、キーワード入力回路２とキーワード設定回路３１から形成されるキーワード設定手段）と、
前記キーワード設定手段によって設定されたキーワードと前記内容表示信号とを比較して一致するか否かにより前記視聴制限の開始時点を判別する第1の判別手段と、
前記第1の判別手段による判別の後にシーンの変化を検出して前記視聴制限の終了時点を判別する第2の判別手段と、
前記信号を記録すると共に前記視聴制限の開始時点と終了時点の情報を記録し、その後に前記信号の再生と共に前記開始時点と終了時点の情報を再生する記録再生手段と、
前記視聴制限の開始時点と終了時点の区間のみを視聴することと該区間を視聴しないこととを選択的に設定する視聴選択手段（例えば、視聴選択回路６３）と
前記視聴選択手段の選択に基づいて前記区間を視聴制限の対象として出力を制御する制御手段とを有することを特徴とする。
【００１０】
また、本願の請求項２に係る発明は、映像信号と該映像信号に対応する内容表示信号から成る信号を視聴制限する視聴制限装置において、
予め視聴制限のためのキーワードを設定するキーワード設定手段（例えば、キーワード入力回路２とキーワード設定回路３１から形成されるキーワード設定手段）と、
前記キーワード設定手段によって設定されたキーワードと前記内容表示信号とを比較して一致するか否かにより前記視聴制限の開始時点を判別する第1の判別手段と、
前記第1の判別手段による判別の後にシーンの変化を検出して前記視聴制限の終了時点を判別する第2の判別手段と、
前記視聴制限の開始時点と終了時点の間を視聴制限の対象として出力を制御する制御手段とを有することを特徴とする。
【００１１】
また、本願の請求項３に係る発明は、映像信号と該映像信号に対応する内容表示信号から成る信号を視聴制限する視聴制限装置において、
予め視聴制限のためのキーワードを設定するキーワード設定手段（例えば、キーワード入力回路２とキーワード設定回路３１から形成されるキーワード設定手段）と、
前記キーワード設定手段によって設定されたキーワードと前記内容表示信号とを比較して一致するか否かにより前記視聴制限の開始時点を判別する第1の判別手段と、
前記第1の判別手段による判別の後にシーンの変化を検出して前記視聴制限の終了時点を判別する第2の判別手段と、
前記視聴制限の開始時点と終了時点の区間のみを視聴することと該区間を視聴しないこととを選択的に設定する視聴選択手段（例えば、視聴選択回路６３）と
前記視聴選択手段の選択に基づいて前記区間を視聴制限の対象として出力を制御する制御手段とを有することを特徴とする。
【発明の効果】
【００１２】
本発明は上述のような構成をとることにより、本願の請求項1に係る視聴制限装置においては、使用者がキーワード設定手段により予め視聴制限する内容に相当するキーワードを設定すると、第1の判別手段が前記キーワードと入来する前記内容表示信号との比較を行なって一致したときに前記視聴制限の開始時点とし、その後に第２の判別手段がシーンの変化を検出して前記視聴制限の終了時点として得られる。制御手段は、この判別により得られた開始時点と終了時点とでもって自動的に視聴制限を行ない前記信号を出力する。そして、この視聴制限は視聴しない区間が記録再生手段からの再生の際にスキップされる。そのため、前記信号の視聴制限がキーワードの設定だけで自動的に行なうことができるので、使用者はキーワードを変更することで制限する内容を任意に変更できる。しかも、視聴しない区間がスキップされるので、使用者はその区間で不快感をうけることがない等の効果を有する。更に、使用者は前記視聴選択手段により、入来する信号の全体から前記視聴制限の区間を視聴する場合と視聴しない場合との異なる用途に選択できる効果を有する。
【００１３】
本願の請求項２に係る発明の視聴制限装置においては、使用者がキーワード設定手段により予め視聴制限する内容に相当するキーワードを設定すると、第1の判別手段が前記キーワードと入来する前記内容表示信号との比較を行なって一致したときに前記視聴制限の開始時点とし、その後に第２の判別手段がシーンの変化を検出して前記視聴制限の終了時点として得られる。制御手段は、この判別により得られた開始時点と終了時点とでもって自動的に視聴制限を行ない前記信号を出力する。そのため、前記信号の視聴制限がキーワードの設定だけで自動的に行なうことができるので、キーワードを変更することで制限する内容を任意に変更できる効果を有する。
【００１４】
本願の請求項３に係る発明の視聴制限装置においては、使用者がキーワード設定手段により予め視聴制限する内容に相当するキーワードを設定すると、第1の判別手段が前記キーワードと入来する前記内容表示信号との比較を行なって一致したときに前記視聴制限の開始時点とし、その後に第２の判別手段がシーンの変化を検出して前記視聴制限の終了時点として得られる。制御手段は、この判別により得られた開始時点と終了時点とでもって自動的に視聴制限を行ない前記信号を出力する。そのため、前記信号の視聴制限がキーワードの設定だけで自動的に行なうことができるので、使用者はキーワードを変更することで制限する内容を任意に変更できる効果を有する。更に、使用者は前記視聴選択手段により、入来する信号の全体から前記視聴制限の区間を視聴する場合と視聴しない場合との異なる用途に選択できる効果を有する。
【発明を実施するための最良の形態】
【００１５】
本発明を実施するための最良の形態としては、以下に説明する実施例である。
【実施例】
【００１６】
本発明の実施例を図１〜図３によって説明する。図１は本発明の実施例における視聴制限装置を示すブロック図、図２は本発明の実施例における動作を示すフローチャート、図３は本発明の実施例における視聴制限装置の動作を示す説明図である。
【００１７】
図１において視聴制限装置１は、テレビジョン信号の受信部２と、制御部３と、出力部４と、ディスプレイ装置から成るモニター部５と、操作部６と、受信されたテレビジョン信号を制御部３の制御によって記録し再生する記録再生部７とから構成されている。
【００１８】
制御部３は、キーワードが設定されているキーワード設定回路３１と、設定されたキーワードと受信された音声信号とを比較して一致するか否かを判別する第1の判別回路３２と、テレビジョン信号のシーンの変化時点を判別する第2の判別回路３３と、第1の判別回路３１の判別出力を視聴制限の開始時点とし第2の判別回路３３の判別出力を視聴制限の終了時点として記憶再生部７に記憶するように制御する制御回路３４とから構成されている。第1の判別回路３２はキーワードと映像信号の内容表示の音声信号との比較を行なうものである。そして、両者の一致が得られ場合には、検出フラグが1となる。第2の判別回路３３は第1に判別回路３２の検出フラグが１のときにシーンの変化時点を判別するものである。記憶再生部７にはテレビジョン信号が連続し記憶されるが、そのタイムコードに制御回路３４によって視聴制限の開始時点と終了時点の情報が記憶される。
【００１９】
操作部６は、使用者が視聴したいチャンネルを選択して視聴を開始し、また視聴を終了する等の操作を行なう操作パネルを有する操作回路６１と、使用者が所定のキーワードを設定のために入力する操作パネルを有するキーワード入力回路６２と、視聴制限の開始時点と終了時点との間を視聴すべき区間とするか視聴しない区間とするかを選択する操作パネルを有する視聴選択回路６３とから構成されている。
【００２０】
記憶再生部７は、受信部２で受信して入来されたテレビジョン信号を連続して記録しその記録内容を再生する。視聴制限の開始時点と終了時点の情報は映像信号と同時に再生するようになっている。
【００２１】
制御回路３４は、視聴選択回路６３の設定条件によって視聴制限の開始時点から終了時点までの区間の再生信号のみを視聴可能に出力回路４に送出するか、この区間以外の再生信号のみを視聴可能に出力回路4に出力するかを制御するようになっている。
【００２２】
次に、上述した構成の視聴制限装置の動作について、図２、図３を参照して説明する。通常のテレビジョン信号の受信は、受信部２で受信され出力部４から出力されてモニター部５で再生されて視聴できるようになる。
【００２３】
視聴制限として使用する場合は以下のような方法でもって設定され動作する。まず、使用者はステップＳ１において初期設定を行なう。具体的には所定の歌手名が出演する画像を視聴したい場合、キーワード入力回路６２の操作によりその歌手名をキーワード設定回路３１に設定すると共に、視聴選択回路６３の操作により視聴制限の開始時点から視聴制限の終了時点までを視聴するモードとして選択する。そして、ステップＳ２において、使用者は操作回路６１を操作して受信部２により所定のチャンネルのテレビジョン信号を受信することとする。そして、受信されたテレビジョン信号は記録再生装置７に記録されるが、その音声信号が、常時、第1の判別回路３２でキーワード設定部３１に設定された前記歌手名との比較が行なわれる。テレビジョン信号は歌の前に歌手名が必ず放送される。この比較によってステップＳ３で示すように音声信号がキーワードと一致したか否かが判別される。一致した場合は、ステップＳ４で示すように検出フラグが一致しない０から１に転換される。検出フラグの０から1への転換時点は、図３（Ａ）で示すように視聴制限の開始時点Ｔ１とされる。この位置の情報はステップＳ５において制御回路３４により記録再生装置７における連続的に記録されるテレビジョン信号のタイムコードに記録される。
【００２４】
第2の判別回路３３は、フラグが1を条件として曲間検出機能が作動を開始する。この曲間は無音状態が存在するので、これでもって歌の放送内容のシーンの変化として捕らえられる。すなわち、この曲間が所定の歌の終了時点として捕らえるものである。そして、ステップＳ６で示すように無音状態により曲間検出がなされた場合は、次のステップＳ７で検出フラグが１から０に転換される。この転換時点は、図３（Ａ）で示すように視聴制限の終了時点Ｔ２とされる。この終了時点Ｔ２を示す情報はステップＳ８において制御回路３４により記録再生装置７における連続的に記録されるテレビジョン信号のタイムコードに記録される。
【００２５】
視聴制限の開始時点Ｔ１から視聴制限の終了時点Ｔ２までは、視聴選択回路６３の操作により視聴する区間として選択されている。そのため、ステップＳ９で示すように制御回路３４は記録再生装置７で追いかけて再生し上記区間を視聴区間として判別する。従って、ステップＳ１０及び図３（Ｂ）で示すように出力部４からは上記区間、すなわち入力した歌手名の曲が再生される。視聴制限の終了時点Ｔ２以降はステップＳ１１で示すように第1の判別回路３２の検出フラグが１から０に転換され、制限された視聴が終了される。その後は、ステップＳ１２で示すように当該番組が終了することによりテレビジョン信号の受信動作を終了する。
【００２６】
一方、所定の歌手名の曲を視聴したくない場合は、キーワード入力回路６２の操作によりその歌手名をキーワード設定回路３１に設定すると共に、視聴選択回路６３の操作により視聴制限の開始時点Ｔ１から終了時点Ｔ２までを視聴しないモードとして選択する。その結果、視聴制限の開始時点Ｔ１から終了時点Ｔ２までは、ステップＳ９で示すように制御回路３４は記録再生装置７で追いかけて再生し上記区間を視聴しない区間として判別する。従って、ステップＳ１３及び図３（Ｃ）で示すように出力部４からは上記区間、すなわち入力した歌手名の曲が再生されない。その前後のテレビジョン信号は通常どおりに再生される。
【００２７】
ステップＳ３において、音声信号とキーワードとの一致が得られない状態が継続すると、ステップＳ１２の番組の終了に至り、視聴制限動作を行なうことなく当該番組が終了してテレビジョン信号の受信動作を終了する。
【００２８】
ステップＳ６において、無音状態により曲間検出がなされない場合は、その状態が継続してステップＳ１２の番組の終了に至り、当該番組が終了することによりテレビジョン信号の受信動作を終了する。
【００２９】
上述した本発明の実施例によれば、使用者はキーワード入力回路６２から予め視聴制限する内容に相当するキーワードを入力しキーワード設定回路３１にキーワードを設定することができる。同時に、使用者は視聴選択回路６３により予め前記視聴制限の区間を視聴する場合と視聴しない場合との選択を行なうことができる。例えば、前記制限区間のみを視聴すると選択した場合は、その後にテレビジョン信号を受信すると、第1の判別回路３１が前記キーワードと入来するテレビジョン信号における映像信号の内容表示の信号との比較を行なう。そして、両者が一致したときには、この時点を視聴制限の開始時点Ｔ１とする。その後に第２の判別回路３３はシーンの変化を検出してその時点を視聴制限の終了時点Ｔ２とする。この開始時点Ｔ１と終了時点Ｔ２の情報は、映像信号と共に記録再生部７に記録され、その後に再生されるときに、制御回路３４がこの区間のみを出力回路４に送出するように制御する。モニター部５には自動的に視聴制限された信号による画像と音声が再生される。そして、この視聴制限は視聴しない区間が記録再生部７からの再生の際にスキップされる。そのため、前記信号の視聴制限がキーワードの設定だけで自動的に行なうことができるので、使用者はキーワードを変更することで制限する内容を任意に変更できる。特に、視聴制限装置１を複数の使用者で利用する場合には、使用者が自由に変更できるので好都合である。しかも、視聴しない区間がスキップされるので、使用者はその区間を短縮して視聴でき不快感をうけることがない。更に、使用者は視聴選択回路６３により、入来する信号の全体から視聴制限の区間を視聴する場合と視聴しない場合との異なる用途に選択できる。
【００３０】
尚、上述した本発明の実施例においては、視聴制限の対象を所定の歌手の曲としたが。本発明は、これに限定されることなく所定のシーンを視聴制限の対象とすることができる。この場合は、視聴に適さないキーワードを設定し、入来する台詞や効果音等の信号を内容表示信号としてキーワードとの比較対象とすることができる。また、比較の対象は、例えば聴力障害者のためにシーンを解説する文字情報として挿入されたデータを内容表示信号として利用するようにしてもよい。
【００３１】
尚、また、上述した本発明の実施例においては、シーンの変化は歌番組における曲間でもって行なった。しかし、本発明は、これに限定されることなく、暴力や卑猥なシーンのおけるシーンの変化でもって判別するようにしてもよい。これは映像信号の大きな変化をシーンの変化として捕らえることによって判別できる。
【００３２】
尚、また、上述した本発明の実施例においては、受信されたテレビジョン信号を先に記録再生装置７に記録し、その記録を追いかけて再生するようにしたが、本発明は、これに限定されることなく、記録再生装置７において視聴制限の情報を付して記録媒体に編集し、これを後に再生するようにしてもよい。また、記録再生の動作を経由せずに受信されるテレビジョン信号を直接に視聴制限してモニター５に再現するようにしてもよい。
【００３３】
尚、また、上述した本発明の実施例においては、受信されたテレビジョン信号を視聴制限の対象としたが、本発明は、これに限定されることなく、各種の記録媒体の再生出力信号を視聴制限するようにしてもよい。
【００３４】
尚、また、上述した本発明の実施例においては、視聴制限する範囲はスキップしたが、本発明はこれに限定されずマスクして処理するようにしてもよい。
【００３５】
尚、また、上述した本発明の実施例にあっては、操作部６に視聴選択回路６３を設けて
視聴制限範囲について視聴するか視聴をしないかの選択を可能としたが、本発明は、これに限定されることなく、制御回路３４が視聴制限範囲を例えば視聴不可の状態に制御すようにして視聴選択回路６３を設けないようにしてもよい。
【図面の簡単な説明】
【００３６】
【図１】図１は本発明の実施例における視聴制限装置を示すブロック図である。
【図２】図２は本発明の実施例における動作を示すフローチャートである。
【図３】図３は本発明の実施例における視聴制限装置の動作を示す説明図である。
【符号の説明】
【００３７】
１        視聴制限装置
２        受信部
３        制御部
４        出力部
５        モニター部
６        操作部
７        記録再生部
３１      キーワード設定回路
３２      第1の判別回路
３３      第2の判別回路
３４      制御回路
６１      操作回路
６２      キーワード入力回路
６３      視聴選択回路
【図１】
2006254257.tif 000003
【図２】
2006254257.tif 000004
【図３】
2006254257.tif 000005